(57)【特許請求の範囲】
【請求項１】
情報処理装置と複数の撮影装置とがサーバと通信可能に接続される医療支援システムであって、
前記情報処理装置が、前記複数の撮影装置のいずれかを特定する第１の情報を取得する第１の取得手段と、被検者を特定する第２の情報を取得する第２の取得手段と、前記取得された第１の情報と前記取得された第２の情報とを前記サーバに送信する第１の送信手段とを有し、
前記複数の撮影装置が、前記複数の撮影装置により得た画像データと前記画像データを得た撮影装置を特定する第３の情報とを前記サーバに送信する第２の送信手段を有し、
前記サーバが、前記送信された第１の情報と前記送信された第２の情報と前記送信された画像データと前記送信された第３の情報とを受信する第１の受信手段と、前記受信された画像データのうち前記受信された第１の情報と前記受信された第３の情報とを用いて特定された撮影装置により得た画像データの少なくとも１部に基づく画像データと前記受信された第２の情報を用いて特定された被検者に関するデータとを前記情報処理装置に送信する第３の送信手段とを有し、
前記情報処理装置が、前記送信された少なくとも１部に基づく画像データと前記送信された被検者に関するデータとを受信する第２の受信手段と、前記受信された少なくとも１部に基づく画像データに対応する少なくとも１つの画像と前記受信された被検者に関するデータに対応する表示形態とを表示手段に表示させる表示制御手段と、前記特定された撮影装置により得た画像データと前記第２の情報との関連付けを指示する第４の情報を取得する第３の取得手段とを更に有し、
前記第１の送信手段が、前記取得された第４の情報を前記サーバに送信し、
前記サーバが、前記第１の受信手段が前記送信された第４の情報を受信した場合に、前記特定された撮影装置により得た画像データと前記受信された第２の情報とを関連付けることを特徴とする医療支援システム。
【請求項２】
前記サーバが、前記関連付けられた画像データ及び第２の情報を記録する記録手段と、前記記録された画像データを、前記表示された少なくとも１つの画像に対してユーザによる編集操作が行われることにより得た新しい画像データに上書きする記録制御手段とを更に有することを特徴とする請求項１に記載の医療支援システム。
【請求項３】
前記サーバが、前記受信された画像データを記録する記録手段と、前記特定された撮影装置により撮影された時刻から所定の期間内において前記受信された第２の情報と関連付けられた画像データについては前記所定の期間の経過後であっても前記記録手段から削除されず、前記受信された画像データのうち前記所定の期間内には前記受信された第２の情報と関連付けられなかった画像データについては前記所定の期間の経過後に前記記録手段から削除される記録制御手段とを更に有することを特徴とする請求項１に記載の医療支援システム。
【請求項４】
前記サーバが、前記受信された画像データを記録する記録手段と、前記特定された撮影装置により撮影された時刻から所定の期間内において前記受信された第２の情報と関連付けられた画像データについては前記所定の期間が経過しても削除フラグが付加されないため所定の時刻であっても前記記録手段から削除されず、前記受信された画像データのうち前記所定の期間内には前記受信された第２の情報と関連付けられなかった画像データについては前記所定の期間の経過時に削除フラグが付加されるため前記所定の時刻において前記記録手段から削除される記録制御手段とを更に有することを特徴とする請求項１に記載の医療支援システム。
【請求項５】
前記表示制御手段が、前記特定された撮影装置により得た画像データと前記受信された第２の情報との関連付けを指示するための登録に関する表示形態を前記表示手段に表示させ、
前記第３の取得手段が、ユーザ操作に応じて前記登録に関する表示形態が指示されることにより、前記第４の情報を取得することを特徴とする請求項１乃至４のいずれか１項に記載の医療支援システム。
【請求項６】
前記第１の取得手段は、前記複数の撮影装置のうちいずれかを特定する撮影装置ＩＤを入力又は選択することにより、前記第１の情報を取得することを特徴とする請求項１乃至５のいずれか１項に記載の医療支援システム。
【請求項７】
前記第２の取得手段は、前記被検者を特定する被検者ＩＤを入力又は選択することにより、前記第２の情報を取得することを特徴とする請求項１乃至６のいずれか１項に記載の医療支援システム。
【請求項８】
前記情報処理装置が、前記少なくとも１つの画像を選択する選択手段を更に有し、
前記第３の取得手段が、前記特定された撮影装置により得た画像データのうち前記選択された少なくとも１つの画像に対応する画像データと前記受信された第２の情報とを関連付けることを特徴とする請求項１乃至７のいずれか１項に記載の医療支援システム。
【請求項９】
情報処理装置と撮影装置とがサーバと通信可能に接続される医療支援システムであって、
前記情報処理装置が、被検者を特定する情報を前記サーバに送信する第１の送信手段を有し、
前記撮影装置が、前記撮影装置により得た画像データを前記サーバに送信する第２の送信手段を有し、
前記サーバが、前記送信された被検者を特定する情報と前記送信された画像データとを受信する第１の受信手段と、前記受信された画像データの少なくとも１部に基づく画像データと前記受信された情報を用いて特定された被検者に関するデータとを前記情報処理装置に送信する第３の送信手段とを有し、
前記情報処理装置が、前記送信された少なくとも１部に基づく画像データと前記送信された被検者に関するデータとを受信する第２の受信手段と、前記受信された少なくとも１部に基づく画像データに対応する少なくとも１つの画像と前記受信された被検者に関するデータに対応する表示形態とを表示手段に表示させる表示制御手段と、前記撮影装置により得た画像データと前記被検者を特定する情報との関連付けを指示する情報を取得する取得手段とを更に有し、
前記第１の送信手段が、前記取得された関連付けを指示する情報を前記サーバに送信し、
前記サーバが、前記第１の受信手段が前記送信された関連付けを指示する情報を受信した場合に、前記撮影装置により得た画像データと前記受信された被検者を特定する情報とを関連付けることを特徴とする医療支援システム。
【請求項１０】
前記情報処理装置が、前記少なくとも１つの画像を選択する選択手段を更に有し、
前記取得手段が、前記撮影装置により得た画像データのうち前記選択された少なくとも１つの画像に対応する画像データと前記受信された被検者を特定する情報とを関連付けることを特徴とする請求項９に記載の医療支援システム。
【請求項１１】
前記第３の送信手段が、前記関連付けられたデータを参照するための情報を外部システムに送信し、
前記外部システムのユーザインタフェースを介して前記関連付けられたデータが参照可能に構成されることを特徴とする請求項１乃至１０のいずれか１項に記載の医療支援システム。
【請求項１２】
前記外部システムは、電子カルテシステムであり、
ユーザ操作に応じて前記電子カルテシステムのユーザインタフェースのＵＲＬが指示されると、前記関連付けられたデータを参照するように構成されることを特徴とする請求項１１に記載の医療支援システム。
【請求項１３】
前記サーバが、前記関連付けられた画像データの種類を示す情報を前記画像データに付加し、
前記第３の送信手段が、所定の種類の画像データが記録されていない場合には、前記記録されていない画像データの種類を示す情報を前記情報処理装置に送信することを特徴とする請求項１乃至１２のいずれか１項に記載の医療支援システム。
【請求項１４】
前記少なくとも１つの画像は、サムネイル画像であることを特徴とする請求項１乃至１３のいずれか１項に記載の医療支援システム。
【請求項１５】
前記撮影装置は、無線で通信可能な携帯型のデジタルカメラであることを特徴とする請求項１乃至１４のいずれか１項に記載の医療支援システム。
【請求項１６】
前記被検者に関するデータは、前記被検者の名前と検査日時と検査項目と前記被検者の画像データ数との少なくとも１つを含むことを特徴とする請求項１乃至１５のいずれか１項に記載の医療支援システム。
【請求項１７】
前記情報処理装置が、前記表示手段を有する無線で通信可能な携帯型装置であり、
前記表示制御手段が、前記少なくとも１つの画像と前記受信された被検者に関するデータに対応する表示形態とを前記表示手段の同一画面に表示させることを特徴とする請求項１乃至１６のいずれか１項に記載の医療支援システム。
【請求項１８】
前記情報処理装置が、ユーザを特定するユーザＩＤを入力又は選択する手段を更に有し、
前記第１の送信手段が、前記入力又は選択されたユーザＩＤに関する情報を前記サーバに送信し、
前記第１の受信手段が、前記送信されたユーザＩＤに関する情報を受信し、
前記第３の送信手段が、前記ユーザＩＤにより特定されたユーザに関するデータを前記情報処理装置に送信し、
前記第２の受信手段が、前記送信されたユーザに関するデータを受信し、
前記表示制御手段が、前記受信されたユーザに関するデータを前記表示手段に表示させることを特徴とする請求項１乃至１７のいずれか１項に記載の医療支援システム。
【請求項１９】
請求項１乃至１８のいずれか１項に記載の医療支援システムの各機能をコンピュータに実行させることを特徴とするプログラム。
【請求項２０】
サーバと通信可能に接続される情報処理装置であって、
前記サーバと通信可能に接続される複数の撮影装置のいずれかを特定する第１の情報を取得する第１の取得手段と、
被検者を特定する第２の情報を取得する第２の取得手段と、
前記取得された第１の情報と前記取得された第２の情報とを前記サーバに送信する送信手段と、
前記特定された撮影装置により得た画像データの少なくとも１部に基づく画像データと前記特定された被検者に関するデータとを前記サーバから受信する受信手段と、
前記受信された少なくとも１部に基づく画像データに対応する少なくとも１つの画像と前記受信された被検者に関するデータに対応する表示形態とを表示手段に表示させる表示制御手段と、
前記特定された撮影装置により得た画像データと前記第２の情報との関連付けを指示する情報を取得する第３の取得手段と、
を有することを特徴とする情報処理装置。
【請求項２１】
サーバと通信可能に接続される情報処理装置であって、
被検者を特定する情報を前記サーバに送信する送信手段と、
前記サーバと通信可能に接続される撮影装置により得た画像データの少なくとも１部に基づく画像データと前記特定された被検者に関するデータとを前記サーバから受信する受信手段と、
前記受信された少なくとも１部に基づく画像データに対応する少なくとも１つの画像と前記受信された被検者に関するデータに対応する表示形態とを表示手段に表示させる表示制御手段と、
前記撮影装置により得た画像データと前記被検者を特定する情報との関連付けを指示する情報を取得する取得手段と、
を有することを特徴とする情報処理装置。
【請求項２２】
前記情報処理装置が、前記表示手段を有する無線で通信可能な携帯型装置であり、
前記表示制御手段が、前記少なくとも１つの画像と前記受信された被検者に関するデータに対応する表示形態とを前記表示手段の同一画面に表示させることを特徴とする請求項２０または２１に記載の情報処理装置。
【請求項２３】
請求項２０乃至２２のいずれか１項に記載の情報処理装置の各機能をコンピュータに実行させることを特徴とするプログラム。
【請求項２４】
情報処理装置と複数の撮影装置とが通信可能に接続されるサーバであって、
前記複数の撮影装置のいずれかを特定する第１の情報と被検者を特定する第２の情報とを前記情報処理装置から受信し、前記複数の撮影装置により得た画像データと前記画像データを得た撮影装置を特定する第３の情報とを前記複数の撮影装置から受信する受信手段と、
前記受信された画像データのうち前記受信された第１の情報と前記受信された第３の情報とを用いて特定された撮影装置により得た画像データの少なくとも１部に基づく画像データと前記受信された第２の情報を用いて特定された被検者に関するデータとを前記情報処理装置に送信する送信手段と、を有し、
前記受信手段が前記特定された撮影装置により得た画像データと前記第２の情報との関連付けを指示する第４の情報を前記情報処理装置から受信した場合に、前記特定された撮影装置により得た画像データと前記受信された第２の情報とを関連付けることを特徴とするサーバ。
【請求項２５】
情報処理装置と撮影装置とが通信可能に接続されるサーバであって、
被検者を特定する情報を前記情報処理装置から受信し、前記撮影装置により得た画像データを受信する受信手段と、
前記受信された画像データの少なくとも１部に基づく画像データと前記受信された情報を用いて特定された被検者に関するデータとを前記情報処理装置に送信する送信手段と、を有し、
前記受信手段が前記撮影装置により得た画像データと前記被検者を特定する情報との関連付けを指示する情報を前記情報処理装置から受信した場合に、前記撮影装置により得た画像データと前記受信された被検者を特定する情報とを関連付けることを特徴とするサーバ。
【請求項２６】
前記送信手段が、前記関連付けられたデータを参照するための情報を外部システムに送信し、
前記外部システムのユーザインタフェースを介して前記関連付けられたデータが参照可能に構成されることを特徴とする請求項２４または２５に記載のサーバ。
【請求項２７】
前記外部システムは、電子カルテシステムであり、
ユーザ操作に応じて前記電子カルテシステムのユーザインタフェースのＵＲＬが指示されると、前記関連付けられたデータを参照するように構成されることを特徴とする請求項２６に記載のサーバ。
【請求項２８】
請求項２４乃至２７のいずれか１項に記載のサーバの各機能をコンピュータに実行させることを特徴とするプログラム。
【発明の詳細な説明】
【技術分野】
【０００１】
本発明は、撮影を支援する撮影支援システムを含む医療支援システムに関する。
【背景技術】
【０００２】
医療現場では、ＣＴ装置やＭＲＩ装置等により撮影されて得た画像データは、撮影日時や撮影者、患者等の情報や、撮影時の様々な情報を含む。このとき、画像データは、専用のサーバで管理される。ユーザはその情報に基づいて画像データを検索することにより、簡単に画像データを参照することができる。（特許文献１）
【先行技術文献】
【特許文献】
【０００３】
【特許文献１】特開２００４−１６４３２０号公報
【発明の概要】
【発明が解決しようとする課題】
【０００４】
ここで、医療現場では、ＣＴ装置やＭＲＩ装置等のように、患者や撮影者等の情報が付帯された画像データを生成する撮像装置がある一方で、デジタルカメラ等のように、これらの情報を付帯せずに画像データを生成する撮像装置も存在する。このとき、上記情報を付帯せずに画像データを生成する撮影装置で撮影してしばらく時間が経ってから数多くの画像データに対して、ユーザが手作業でまとめて上記情報を入力することは、作業効率や入力ミス等の観点から好ましくない。
【０００５】
以上より、本発明の目的の一つは、ユーザが、例えば患者を撮影した後に患者情報等を入力するような場合であっても、作業効率を向上することである。
【０００６】
なお、上記目的に限らず、後述する発明を実施するための形態に示す各構成により導かれる作用効果であって、従来の技術によっては得られない作用効果を奏することも本発明の他の目的の一つとすることができる。
【課題を解決するための手段】
【０００７】
本発明に係る医療支援システムの一つは、
情報処理装置と複数の撮影装置とがサーバと通信可能に接続される医療支援システムであって、
前記情報処理装置が、前記複数の撮影装置のいずれかを特定する第１の情報を取得する第１の取得手段と、被検者を特定する第２の情報を取得する第２の取得手段と、前記取得された第１の情報と前記取得された第２の情報とを前記サーバに送信する第１の送信手段とを有し、
前記複数の撮影装置が、前記複数の撮影装置により得た画像データと前記画像データを得た撮影装置を特定する第３の情報とを前記サーバに送信する第２の送信手段を有し、
前記サーバが、前記送信された第１の情報と前記送信された第２の情報と前記送信された画像データと前記送信された第３の情報とを受信する第１の受信手段と、前記受信された画像データのうち前記受信された第１の情報と前記受信された第３の情報とを用いて特定された撮影装置により得た画像データの少なくとも１部に基づく画像データと前記受信された第２の情報を用いて特定された被検者に関するデータとを前記情報処理装置に送信する第３の送信手段とを有し、
前記情報処理装置が、前記送信された少なくとも１部に基づく画像データと前記送信された被検者に関するデータとを受信する第２の受信手段と、前記受信された少なくとも１部に基づく画像データに対応する少なくとも１つの画像と前記受信された被検者に関するデータに対応する表示形態とを表示手段に表示させる表示制御手段と、前記特定された撮影装置により得た画像データと前記第２の情報との関連付けを指示する第４の情報を取得する第３の取得手段とを更に有し、
前記第１の送信手段が、前記取得された第４の情報を前記サーバに送信し、
前記サーバが、前記第１の受信手段が前記送信された第４の情報を受信した場合に、前記特定された撮影装置により得た画像データと前記受信された第２の情報とを関連付ける。
【発明の効果】
【０００８】
本発明の一つによれば、ユーザは、例えば患者を撮影した後に患者情報等をまとめて入力するような場合であっても、作業効率を向上することができる。
【図面の簡単な説明】
【０００９】
【図１】第一の実施形態に係る医療支援システムを説明するためのブロック図
【図２】第一の実施形態に係る医療支援システムを説明するためのフロー図
【図３】第二の実施形態に係る撮影支援システムを説明するためのフロー図
【図４】第三の実施形態に係る画像ビューワを利用する際のフロー図
【図５】第四の実施形態に係る画像アップローダを利用する際のフロー図
【図６】第五の実施形態に係る画像データを自動で削除する機能を説明するためのフロー図
【図７】第二の実施形態に係る撮影支援システムの撮影前の画面を説明するための図
【図８】第四の実施形態に係る画像アップローダの画面を説明するための図
【図９】第二の実施形態に係る撮影支援システムの撮影中の画面を説明するための図
【図１０】第三の実施形態に係る画像ビューワにおける初期画面を説明するための図
【図１１】第三の実施形態に係る画像ビューワにおける検索結果画面を説明するための図
【図１２】第三の実施形態に係る画像ビューワにおける画像データ表示画面を説明するための図
【図１３】第二の実施形態に係るファイル監視部を説明するためのフロー図
【図１４】第二の実施形態に係る撮影支援システムを説明するためのユーザの動作を省略したフロー図
【図１５】第三の実施形態に係る画像ビューワを利用する際のユーザの動作を省略したフロー図
【図１６】第四の実施形態に係る画像アップローダを利用する際のユーザの動作を省略したフロー図
【発明を実施するための形態】
【００１０】
本実施形態に係る医療支援システムは、複数の撮影装置と、表示手段を有する携帯型のビューワ装置とのそれぞれが、画像管理サーバや撮影支援サーバ等のサーバと通信可能に接続される。まず、携帯型のビューワ装置が、複数の撮影装置のいずれかを選択する選択手段と、選択された撮影装置により被検者を撮影する撮影者のＩＤである撮影者ＩＤを入力する撮影者ＩＤ入力手段を有する。また、選択された撮影装置が、選択された撮影装置により撮影された被検者の画像データをサーバに送信する送信手段を有する。また、サーバが、撮影者ＩＤが入力された場合に、撮影者ＩＤと送信されたデータとを関連付けて記録する記録手段を有する。
【００１１】
また、別の本実施形態は、複数の撮影装置のいずれかを選択する代わりに、撮影装置ＩＤを入力する構成である。この場合、撮影者ＩＤの入力をしなくても良い。また、ある撮影者がある撮影装置を使って被検者を撮影することが決まっている場合には、撮影者ＩＤと撮影装置ＩＤとを関連付けて記録しておけば、複数の撮影装置のいずれかを選択する必要はない。
【００１２】
以上の本実施形態のうち少なくとも一つにより、該サーバが、携帯型のビューワ装置において撮影者ＩＤが入力された場合に、撮影者ＩＤと選択された撮影装置から送信された画像データとを関連付けて記録することができる。これにより、ユーザは、患者を撮影した後に患者情報等をまとめて入力した場合でも、作業効率を向上することができる。また、作業効率が向上することにより、入力ミスを低減することもできる。このとき、記録手段は、複数の撮影装置のうち選択された撮影装置以外の撮影装置により被検者が撮影された場合、該被検者の画像データがサーバに送信されたとしても、撮影者ＩＤと該画像データとを関連付けて記録しないことが好ましい。
【００１３】
ここで、医療現場では、ＣＴ装置やＭＲＩ装置等のように、患者や撮影者等の情報が付帯された画像データを生成する撮像装置がある一方で、デジタルカメラ等のように、これらの情報を付帯せずに画像データを生成する撮像装置も存在する。このとき、画像データが上記情報を付帯していない場合、撮影者がこの画像データをパソコン等に保存する際に、この画像データの保存ディレクトリ名やファイル名に自分の記憶している情報を思い出しながら手作業で上記情報を入力する必要があった。ところで、医療現場において、ユーザは上記情報を付帯していない画像データを数多く取得する必要がある。このとき、撮影してしばらく時間が経ってから数多くの画像データに対して、ユーザが手作業でまとめて上記情報を入力することは、作業効率や入力ミス等の観点から好ましくない。そこで、上述した本実施形態のうち少なくとも一つによって、作業効率や入力ミス等を解決することができる。
【００１４】
なお、携帯型のビューワ装置が、前記入力された撮影者ＩＤと選択された撮影装置とを含む情報をサーバに送信する情報送信手段を有することが好ましい。これにより、記録手段は、前記情報送信手段が前記サーバに送信した後に、前記撮影者ＩＤと前記送信された画像データとを関連付けて記録することができる。
【００１５】
また、撮影者ＩＤ入力手段により撮影者のＩＤが入力された場合に、記録手段において撮影者のＩＤに関連付けて記録される画像データを表示手段に表示させる表示制御手段を有することが好ましい。また、携帯型のビューワ装置が、画像データに付帯する被検者のＩＤを入力する被検者ＩＤ入力手段を有し、表示制御手段が、被検者ＩＤ入力手段により被検者のＩＤが入力された場合に、ＣＡＤサーバに記録されている被検者に関するデータを画像管理サーバを介して表示手段に表示させることが好ましい。また、サーバが、送信手段により送信されたデータを記録する記録手段と、撮影装置により撮影された時刻から所定の期間経過後に、該記録手段に記録されたデータを該記録手段から削除する記録制御手段とを有することが好ましい。また、携帯型のビューワ装置が、記録手段に記録されたデータを登録する登録手段を有し、記録制御手段が、登録手段により登録されたデータを所定の期間経過後に削除しないことが好ましい。
【００１６】
以下、図面を参照して、本発明の各実施形態を説明する。なお、本発明の各実施形態は、無線通信に限らず、有線により通信を行っても良い。
【００１７】
［第一の実施形態：医療支援システム］
まず、第一の実施形態に係る医療支援システムについて、図１を用いて説明する。なお、図１は、第一の実施形態に係る医療支援システムを説明するためのブロック図である。また、それぞれの機能ブロックは、それぞれの機能を有する一体として構成されても良い。また、それぞれの機能ブロックは、別々のサーバにより構成され、それぞれが通信可能に接続されても良い。
【００１８】
まず、画像データ処理部の一例であるパソコン１０は、パソコン１０により動作するＷＥＢブラウザ１１と画像アップローダ１２とを備える。また、画像アップローダ１２は、パソコン１０に保存されている画像データに情報を付加する。そして、画像アップローダ１２に登録された画像データは、画像管理サーバ２０と通信可能なＷＥＢブラウザ１１によって閲覧することができる。
【００１９】
また、画像管理サーバ２０は、画像管理用ウェブ生成部の一例であるＷＥＢサーバ２１と画像管理用ファイル送受信部の一例であるＦＴＰサーバ２２とを備える。また、画像管理サーバ２０は、画像管理サーバ２０上で動作する要求処理部２３、画像データベース２４、および、画像ストレージ２５を備える。また、要求処理部２３は、ＷＥＢサーバ２１、画像データベース２４、および、画像ストレージ２５と画像管理サーバ２０内で通信を行う。要求処理部２３は、受信した命令信号に基づいて動作する。ＷＥＢサーバ２１は、指定されたＵＲＬに基づいてＷＥＢページを作成し、ＷＥＢブラウザ１１への送信や、要求処理部２３と通信を行う。ＦＴＰサーバ２２と画像ストレージ２５は、画像管理サーバ２０内で通信を行う。ＦＴＰサーバ２２は、画像アップローダ１２から画像データを受信し、画像ストレージ２５に該画像データを記録させる。携帯端末３０は、ＷＥＢブラウザ３１を備える。
【００２０】
また、撮影支援サーバ５０は、撮影支援用ウェブ生成部の一例であるＷＥＢサーバ５１と撮影支援用ファイル送受信部の一例であるＦＴＢサーバ５２とを備える。また、撮影支援サーバ５０は、受信した命令信号に基づいて動作する要求処理部５３、ＦＴＰサーバ５２が画像データを受信する度に所定の動作を行うファイル監視部５４、画像データベース５５、および、画像ストレージ５６を備える。ここで、要求処理部５３は、ＷＥＢサーバ５１、画像データベース５５、および、画像ストレージ５６と画像管理サーバ５０内で通信を行う。ＷＥＢサーバ５１は、指定されたＵＲＬに基づいてＷＥＢページを作成し、ＷＥＢブラウザ３１への送信や、要求処理部５３と通信を行ったりする。ＦＴＰサーバ５２は、無線デジタルカメラ４０から画像データを受信し、画像ストレージ５６に該画像データを記録させる。ファイル監視部５４は、ＦＴＰサーバ５２、および、画像データベース５５と撮影支援サーバ５０内で通信を行う。ＦＴＰサーバ５２と画像ストレージ５６は、撮影支援サーバ５０内で通信を行う。パソコン１０と画像管理サーバ２０はネットワーク上で有線あるいは無線により接続されており、ＷＥＢブラウザ１１はＷＥＢサーバ２１と通信を行い、さらに、画像アップローダ１２はＦＴＰサービス２２、および、要求処理部２３と通信を行う。また、携帯端末３０と撮影支援サーバ５０とは、ネットワーク上で無線接続されており、ＷＥＢブラウザ３１とＷＥＢサーバ５１とは通信可能に接続されている。
【００２１】
また、無線デジタルカメラ４０と撮影支援サーバ５０はネットワーク上で無線接続されている。また、画像管理サーバ２０、汎用情報データベース６０、医療データベース７０、撮影支援サーバ５０は、ネットワーク上で接続されている。汎用情報データベース６０と医療データベース７０とはそれぞれ、要求処理部２３と要求処理部５３と通信を行う。また、汎用情報データベース６０は、撮影項目の情報や画像取得機器の情報を格納している。また、医療データベース７０は、外部システム８０とネットワーク上で接続されている。医療データベース７０は、医療機関に係る患者の情報や職員の情報などの様々な情報を格納している。また、医療データベース７０は、外部システムとの情報の送受信に用いられる。
【００２２】
（撮影支援システムと画像管理システム）
ここで、第一の実施形態に係る「医療支援システム」は、主に２つのシステムとして捉えることができる。まず、１つ目のシステムは、携帯端末３０、無線デジタルカメラ４０、撮影支援サーバ５０、汎用情報データベース６０で構成される「撮影支援システム」である。このとき、ユーザは、撮影支援モジュールによって撮影して得た画像データをその場で簡単に共有することができる。また、もう一つのシステムは、パソコン１０、画像管理サーバ２０、汎用情報データベース６０で構成される「画像管理システム」である。なお、本実施形態は、２つのシステムとして説明するが、例えば、撮影支援サーバ５０の機能と画像管理サーバ２０の機能とを持つ一つのサーバで構成しても良い。
【００２３】
このとき、画像管理システムは、主に「画像アップローダ」と「画像ビューワ」の機能を有する。画像アップローダにより、無線デジタルカメラ以外の撮影装置（「画像取得機器」とも呼ぶ）から得た画像データも共有することができる。また、画像ビューワにより、パソコンが設置してある場所で上記共有した画像データを閲覧することができる。なお、これらのシステムや機能については、後述する。
【００２４】
（医療支援システムのフロー）
ここで、第一の実施形態に係る医療支援システムのフローについて、図２を用いて説明する。なお、図２は、第一の実施形態に係る医療支援システムを説明するためのフロー図である。
【００２５】
まず、ステップＳ２０１において、ユーザは「撮影支援システム」を利用して画像データを登録する。すなわち、ユーザは、携帯端末３０と無線デジタルカメラ４０とを用いて、無線デジタルカメラ４０で撮影して得た画像データを画像管理サーバ２０に登録する。
【００２６】
また、ステップＳ２０２において、ユーザは「画像管理システム」における「画像アップローダ」で画像データを登録する。すなわち、ユーザは、画像アップローダ１２を用いて、パソコン１０に保存した画像データを画像管理サーバ２０に登録する。ステップＳ２０２の処理は、無線デジタルカメラ４０で撮影できない撮影対象を別の画像取得機器で撮影し、取得した画像データを登録する場合や、過去になんらかの方法で取得済みの画像データを登録する場合にユーザが実行する。なお、ステップＳ２０１とステップＳ２０２とは、どちらか一方を行っても良いし、両方行っても良い。
【００２７】
また、ステップＳ２０３において、ユーザは、「画像管理システム」における「画像ビューワ」で画像データを確認する。すなわち、ユーザはＷＥＢブラウザを備えたパソコン１０や携帯端末３０に、ＷＥＢブラウザを起動するよう指示を出し、画像ビューワのＵＲＬへアクセス後、画像管理サーバ２０に登録された画像データをモニタで確認する。そして、Ｓ２０４において、ユーザは、画像データの確認作業を終了すると判断した場合、ＷＥＢブラウザを終了して、このフローを終了し、終了しないと判断した場合、Ｓ２０１とＳ２０２とのうち少なくとも一方のステップを再度行う。
【００２８】
［第二の実施形態：撮影支援システム］
次に、第二の実施形態に係る撮影支援システムのフローについて、図３、図７、図９、図１３、図１４を用いて説明する。なお、図３は、本実施形態に係る撮影支援システムを説明するためのフロー図である。また、図７（ａ）は、本実施形態に係る撮影支援システムのログイン画面を説明するための図であり、図７（ｂ）は、本実施形態に係る撮影支援システムの撮影開始前画面を説明するための図である。図９は、本実施形態に係る撮影支援システムの撮影中の画面を説明するための図である。図１３は、本実施形態に係るファイル監視部を説明するためのフロー図である。なお、図１４は、第二の実施形態に係る撮影支援システムを説明するためのユーザの動作を省略したフロー図であり、図３からユーザの入力のステップを除いたフロー図である。本実施形態は、図１４の各工程をそれぞれ所定のタイミングで自動的に実行しても良いし、少なくとも一つをユーザの入力タイミングで実行する半自動でも良い。
【００２９】
まず、ステップＳ３０１において、ユーザの指示に応じて、携帯端末３０のＣＰＵが、ＷＥＢブラウザ３１を起動する。また、ステップＳ３０２において、ＷＥＢブラウザ３１は、ＷＥＢサーバ５１にログイン画面のＷＥＢページ３４０のＵＲＬと生成要求信号を送信する。ＷＥＢサーバ５１は、ログイン画面のＷＥＢページ３４０を生成し、携帯端末３０のＷＥＢブラウザ３１へ送信し、携帯端末３０のＷＥＢブラウザ３１は受信したログイン画面のＷＥＢページ３４０を表示する。また、ステップＳ３０３において、ユーザは、ログイン画面のＷＥＢページ３４０のログイン情報入力部３４１におけるＩＤ入力部３４２にユーザのＩＤを入力し、パスワード入力部３４３にパスワードを入力する。
【００３０】
また、ステップＳ３０４において、ログイン画面のＷＥＢページ３４０におけるＩＤ送信部は、撮影支援サーバ５０のＷＥＢサーバ５１に、ユーザのＩＤとパスワードとログイン要求信号を送信する。ＷＥＢサーバ５１は、要求処理部５３に、ユーザのＩＤとパスワードとともにログイン要求信号を送信する。また、要求処理部５３は、受信したユーザのＩＤが医療データベース７０に存在するか検索する。ここで、このＩＤが存在しない場合は、ログイン失敗信号をＷＥＢサーバ５１へ送信する。また、このＩＤが存在する場合、そのＩＤに対応する医療データベース７０中のパスワードが、受信したパスワードと一致するかどうか確認する。ステップＳ３０４１において、パスワード同士が一致する場合は、ログイン成功信号を撮影支援サーバ５０のＷＥＢサーバ５１へ送信する。また、パスワード同士が一致しない場合、ログイン失敗信号を撮影支援サーバ５０のＷＥＢサーバ５１へ送信する。
【００３１】
また、ＷＥＢサーバ５１がログイン失敗信号を受信した場合、ステップＳ３０３に戻る。また、ＷＥＢサーバ５１がログイン成功信号を受信した場合、撮影前画面のＷＥＢページ３５１にあるログインボタン３４４をログアウトボタンに入れ替え、さらに、ステップＳ３０５において、ＷＥＢサーバ５１は、要求処理部５３に、画像取得機器ＩＤリスト要求信号を送信する。要求処理部５３は、汎用情報データベース６０から、汎用情報データベース６０に登録済みの無線デジタルカメラ４０の画像取得機器ＩＤ群を取得し、画像取得機器ＩＤリストとして、ＷＥＢサーバ５１へ送信する。なお、画像取得機器ＩＤは、無線デジタルカメラなどの画像取得機器１つ１つに割り当てられた、無線デジタルカメラ４０の識別に用いるユニークなＩＤである。なお、画像データを送信する機器は、無線デジタルカメラ４０でなくてもよく、例えば、ＣＴ装置、ＭＲＩ装置、内視鏡装置、眼科装置（手持ち式の眼底カメラ、据え置き型の眼底カメラ、ＯＣＴ、ＡＯ−ＳＬＯ、眼屈折力計測装置、眼圧計等）、可搬型のＸ線撮影装置等がある。ＷＥＢサーバ５１は撮影開始前画面のＷＥＢページ３５１を生成する。画像取得機器選択ドロップダウンリスト３５３には、受信した画像取得機器ＩＤリストをセットする。  なお、画像データを送信する機器は、上記の他に、医療診断に用いられる画像を取得可能な装置であれば何でも良い。また、また、ステップＳ３０６において、ユーザの操作に応じて、撮影開始前画面のＷＥＢページ３５１における画像取得機器選択ドロップダウンリスト３５３から、撮影に利用する画像取得機器、ここでは無線デジタルカメラ４０のＩＤである「カメラ０１」が選択される。
【００３２】
また、ステップＳ３０７において、ユーザが撮影開始ボタン３５４を押下すると、撮影開始前画面のＷＥＢページ３５１は、ＷＥＢサーバ５１にステップＳ３０６で選択した画像取得機器ＩＤとユーザのＩＤと撮影開始要求信号を送信する。続けて、ステップＳ３０７１において、ＷＥＢサーバ５１は、要求処理部５３に、受信した画像取得機器ＩＤとユーザのＩＤ、撮影支援サーバ５０における現在日時、画像取得機器の利用権取得要求信号を送信する。要求処理部５３は、汎用情報データベース６０から、受信した画像取得機器ＩＤを検索し、その画像取得機器ＩＤに対応付けて、受信したユーザのＩＤと受信した現在日時を登録時刻として、登録しようと試みる。既に他のユーザのＩＤが登録されていた場合には、登録されている登録時刻を参照する。その登録時刻と登録しようとしている登録時間の差が任意の時間、例えば、１時間以上だった場合には既に登録されているユーザのＩＤと登録時間を、受信したユーザのＩＤと登録時間で上書きして、ＷＥＢサーバ５１に撮影開始成功信号を送信する。また、１時間未満だった場合には、要求処理５３はＷＥＢサーバ５１に撮影開始失敗信号を送信する。ステップＳ３０７１における画像取得機器の利用権取得処理は、汎用情報データベース６０に保存されている画像取得機器を利用中の他のユーザのＩＤを上書きしてしまうのを防ぐ機能である。上書きが実行された場合、以降の処理によって、対象の画像取得機器で撮影した画像データはステップＳ３０７において送信したユーザのＩＤと関連付けて登録される。
【００３３】
また、撮影開始失敗信号をＷＥＢサーバ５１が受信した場合には、ステップＳ３０７に戻る。また、撮影開始成功信号をＷＥＢサーバ５１が受信した場合には、ステップＳ３０８において、ＷＥＢサーバ５１は、要求処理部５３に検査項目リスト要求信号を送信する。要求処理部５３は、汎用情報データベース６０から、汎用情報データベース６０に登録済みの検査項目群を取得し、検査項目リストとして、ＷＥＢサーバ５１に送信する。ＷＥＢサーバ５１は、撮影中画面のＷＥＢページ３６０を生成し、受信した検査項目リストを検査項目入力部３６３にセットし、ユーザが検査項目リスト中のいずれかの検査項目を選択できる状態にする。なお、検査項目とは、例えば、術中写真や病理写真、エコー検査画像、Ｘ線写真などの検査の種類や画像データの種類を表すキーワードである。
【００３４】
ステップＳ３０９において、ＷＥＢサーバ５１は撮影支援サーバ５０の現在日時を取得し、撮影中画面のＷＥＢページ３６０に検査日時入力部３６４にその日時をセットする。
【００３５】
また、ステップＳ３１０において、ＷＥＢサーバ５１は、要求処理部５３に画像情報取得条件と撮影画像要求信号とを送信する。なお、画像情報取得条件とは、撮影中画面の画像リスト表示部３６８に表示する画像リスト項目の元になる画像情報を、画像データベースから選択するための条件である。例えば、「最近撮影された順に画像情報のレコード５０個」、「３日前から今日にかけて撮影された画像データの画像情報」、「ユーザのＩＤが、ユーザ０１の画像情報」、「画像取得機器ＩＤが、カメラ０１の画像情報」、「すべての画像情報」などがある。画像情報取得条件は複数あってもよい。画像情報取得条件は、ＷＥＢサーバ５１で予め設定されているものを用いる。もしくは、撮影中画面のＷＥＢページ３６０に画像情報取得条件を変更するユーザインタフェースを設けてもよい。この場合には、ユーザインタフェースから画像情報取得条件が変更されると、ステップＳ３１０の最初に戻る。また、画像情報とは、画像情報を識別するための画像情報ＩＤ、撮影された画像データの名前やファイルサイズ、画像ストレージにおけるファイルパス、サムネイル画像のファイルパス、画像データを表示するためのＵＲＬ、画像取得機器ＩＤ、横幅の画素数、高さの画素数、作成日時、撮影日時、更新日時、画像回転情報、画像取得機器ＩＤなどの画像データに関する情報である。要求処理部５３は、受信した撮影画像取得条件に基づいて、画像データベース５５から画像情報群を取得し、ＷＥＢサーバ５１へ送信する。ＷＥＢサーバ５１は、受信した画像情報群を元に、画像情報それぞれに対応するサムネイル画像と画像情報をセットにしたものを、撮影中画面のＷＥＢページ３６０の画像リスト表示部３６８の画像リスト項目として追加する。ただし、画像情報に削除済みフラグが追加されている場合はその画像リスト項目を追加しない。また、各々の画像リスト項目にはチェックボックス３６９が付属し、ユーザは、そのチェックボックス３６９を操作することによって、ステップＳ３１６における登録対象画像データ選択を行う。ＷＥＢサーバ５１は、ＷＥＢブラウザ３１に撮影中画面のＷＥＢページ３６０を送信し、ＷＥＢブラウザ３１は受信した撮影中画面のＷＥＢページ３６０を表示する。
【００３６】
また、ステップＳ３１１において、ユーザの指示に応じて、患者のＩＤが患者ＩＤ入力部３６１に入力される。また、ステップＳ３１２において、撮影中画面のＷＥＢページ３６０は患者ＩＤ入力部３６１に入力された患者のＩＤが患者のＩＤの文字列規則を満たしていることを確認し、ＷＥＢサーバ５１を経由して要求処理部５３へ、受信した患者のＩＤと患者情報取得要求信号とを送信する。要求処理部５３は、受信した患者のＩＤが医療データベース７０に存在するか検索する。存在しない場合は、患者ＩＤ検索失敗信号をＷＥＢサーバ５１へ送信する。存在する場合、その患者のＩＤに対応する医療データベース７０中の患者情報をＷＥＢサーバ５１へ送信する。患者情報とは、例えば、患者のＩＤや患者の名前、患者の性別、患者の生年月日、患者の年齢などの患者に関する情報である。患者ＩＤ検索失敗信号をＷＥＢサーバ５１が受信した場合、ＷＥＢサーバ５１は撮影中画面のＷＥＢページ３６０に患者ＩＤ検索失敗の旨を表示し、患者情報表示部３６２に患者情報の表示はしない。患者情報をＷＥＢサーバ５１が受信した場合、ＷＥＢサーバ５１は撮影中画面のＷＥＢページ３６０の患者情報表示部３６２に患者情報を表示する。
【００３７】
また、ステップＳ３１３において、ユーザは、撮影中画面のＷＥＢページ３６０の検査項目入力部３６３を操作して検査項目を選択する。また、ステップＳ３１４において、ユーザは、撮影中画面のＷＥＢページ３６０の検査日時入力部３６３を操作して検査日時を入力する。ただし、ステップＳ３１６において選択する登録対象画像データ群の中に、日時情報を含む登録対象画像データが１つ以上含まれる場合は、ユーザは、それらの日時情報の中から最も古い日時情報を検査日時として採用することを選択しても良い。その場合には、ユーザは登録対象画像データ群に含まれる日時を使用するためのトグルボタン３６５を操作してオンにする。また、ステップＳ３１５において、ユーザがステップＳ３０６で選択した画像取得機器ＩＤを持つ無線デジタルカメラ４０で撮影すると、無線デジタルカメラ４０は撮影によって生成した画像データをＦＴＰサーバ５２に送信する。なお、画像データを受信する手段はＦＴＰサーバを用いなくてもよい。例えば、ＨＴＴＰ通信を利用するＷＥＢサーバ、画像通信プロトコルを利用するＤＩＣＯＭサーバがある。
【００３８】
ここで、図１３のステップＳ３２９において、ＦＴＰサーバ５２が画像データを受信すると、ステップＳ３３０において、ファイル監視部５４が受信した画像データを解析し、サムネイル画像と画像情報を得る。また、受信した日時を転送日時として画像情報に追加する。なお、画像データは画像情報に含まれる画像取得機器ＩＤによって、どの無線デジタルカメラ４０から送信されたものか識別できるが、他の識別の方法として、例えば、無線デジタルカメラ４０の画像データ送信先ディレクトリをそれぞれの無線デジタルカメラ４０専用に分けておく、などの方法がある。この場合は、送信先ディレクトリのパスと画像取得機器ＩＤを対応付けて、汎用情報データベース６０に予め登録しておき、画像データを受信したときに、ディレクトリパスをキーにして汎用情報データベース６０を参照すれば、画像データに対応する画像取得機器ＩＤが分かるので、画像情報に画像取得機器ＩＤを追加すればよい。サムネイル画像とは受信した画像データの縮小画像である。また、サムネイル画像は、画像情報に含まれる、画像回転情報を反映させた回転済みのサムネイル画像にする。ファイル監視部５４は、取得した画像情報を画像データベース５５に登録し、ＷＥＢサーバ５１に新規画像入力信号を送信する。また、ステップＳ３３１において、ファイル監視部５４は、ステップＳ３２９でＦＴＰサーバ５２が受信した画像データとステップＳ３３０で得たサムネイル画像を画像ストレージ５６に保存する。また、ステップＳ３３２において、ファイル監視部５４は、ステップＳ３３０で得た画像情報に含まれる画像取得機器ＩＤをキーに汎用情報データベース６０を検索し、ステップＳ３３２１において、画像取得機器ＩＤに対応するユーザのＩＤを取得できた場合には、ステップＳ３３３において、画像データベース５５の画像情報に追加登録する。取得できなかった場合には、何もしない。なお、上述したファイル監視部５４の動作は、サーバの電源が入っている間行われ続けるが、ステップＳ３３４１において、電源が消されたか否かを判断しても良い。このとき、判断部がサーバの電願が消されたと判断した場合、ファイル監視部のフローを終了する。続けて、ステップＳ３３４において、ＷＥＢサーバ５１は、ステップＳ３１０と同様の処理を行う。また、ステップＳ３１６において、ユーザは、画像リスト表示部３６８の任意の画像リスト項目に付属するチェックボックス３６９を操作して、登録対象画像データを選択しても良い。
【００３９】
また、ステップＳ３１７において、ユーザは、画像リスト表示部３６８に表示された画像リスト項目群から、例えば、パソコンに接続されたマウス等のポインティングデバイスを操作することによって、任意の画像リスト項目を選択して、選択した画像リスト項目に対応する画像情報から画像データを表示するためのＵＲＬを参照し、画像表示部３７３に画像データを表示させてもよい。なお、画像情報に画像加工情報や画像付加情報が含まれる場合は、それらを反映させた画像データを表示させる。画像加工情報、および、画像付加情報は、ステップＳ３２０において作成される。
【００４０】
また、ステップＳ３１８において、ユーザは特定の操作によって、画像表示部３７３に表示された画像データを拡大縮小しても良い。操作方法として、例えば、携帯端末３０のピンチイン・ピンチアウト操作やキー操作を採用しても良い。
【００４１】
ステップＳ３１９において、ユーザは特定の操作によって、画像表示部３７３に表示された画像データの表示エリアを移動させても良い。操作方法として、携帯端末３０のスワイプ操作やキー操作を採用しても良い。
【００４２】
また、ステップＳ３２０において、ユーザは画像編集ボタン群３７２の中の任意の画像編集ボタンを押下することによって、画像表示部３７３に表示中の画像データに対して編集操作を行って、画像情報に画像加工情報や画像付加情報を追加しても良い。編集操作を行うと、編集操作の結果が画像表示部に表示される。なお、編集操作とは、画像を回転させたり、上下反転・左右反転させたり、画像中の任意の矩形領域を選択してトリミングしたり、色を調整したり、図形や文字を画像データに直接書き込んだりする画像加工情報を作成する操作や、画像データにコメントを付加したり、図形や文字を画像と重ね合わせて表示するための情報を付加する画像付加情報を作成する操作である。また、編集操作を行って更新された画像情報は、撮影中画面のＷＥＢページ３６０が、ＷＥＢサーバ５１を経由して画像データベース５５に登録する。
【００４３】
また、ステップＳ３２１において、ユーザが登録ボタン３６７を押下すると、画像登録処理を開始する。ステップＳ３２１１において、撮影中画面のＷＥＢページ３６０はステップＳ３１２で有効な患者情報が取得できている、かつ、ステップＳ３１３で検査項目が選択されている、かつ、ステップＳ３１４で検査日時が入力されている、かつ、ステップＳ３１６で登録対象画像データが１つ以上選択されているかどうか判定する。なお、ステップＳ３１４で、画像データに含まれる日時を使用するためのトグルボタン３６５をオンにしている場合には、撮影中画面のＷＥＢページ３６０はステップＳ３１６で選択された登録対象画像データの中から、最も古い日時情報を持つ画像データを選択し、その日時を検査日時として採用する。この場合、検査日時が入力されていることにする。もし、日時情報を持つ画像データが１つも無い場合には、画像アップローダ１２は日時情報を持つ画像データが１つも無い旨のメッセージをユーザに提示して、ステップＳ３１０に戻る。
【００４４】
また、ステップＳ３２２において、撮影中画面のＷＥＢページ３６０は、ＷＥＢサーバ５１と要求処理部５３を経由して、上記登録対象画像データ群の画像情報群と画像情報登録要求信号を送信する。要求処理部５３は、受信した登録対象画像情報群を画像データベース２４に登録する。また、要求処理部２３は、ステップＳ３２３で送信される各々の登録対象画像データとサムネイル画像のコピーの、画像管理サーバ２０における画像情報を、対応する登録対象画像データ情報に追加登録する。なお、画像管理サーバ２０における画像情報とは、例えば、登録対象画像データの画像ストレージ５６におけるファイルパスや画像データを表示するためのＵＲＬなどの、画像データに関する情報である。また、要求処理部２３は、登録した登録対象画像情報群すべてに同一のユニークな検査ＩＤを追加登録する。さらに、要求処理部２３は、上記管理画像情報を医療データベース７０にも登録する。医療データベース７０に登録された画像情報は外部のシステム８０から利用されることも可能である。例えば、外部システムである電子カルテシステムは、画像管理サーバ２０に登録されたＵＲＬをユーザインタフェースに関連付けることができる。そして、ユーザは、ユーザインタフェース上をクリックすることにより、クリック位置に応じた画像を参照することができる。
【００４５】
また、ステップＳ３２３において、要求処理部５３は、画像ストレージ５６に保存されている画像データ群とサムネイル画像群から、受信した登録対象画像データ群に対応する画像データとサムネイル画像のコピーを作成し、ＦＴＰサーバ２２へ送信する。ＦＴＰサーバ２２は受信した画像データとサムネイル画像のコピーを画像ストレージ５６へ記録させる。また、ステップＳ３２４において、要求処理部５３は、画像データベース５５に登録された上記登録対象画像データ群に対応する画像情報に、画像管理システムへの登録完了フラグを追加登録する。要求処理部５３は、登録完了信号をＷＥＢサーバ５１に送信し、登録完了信号を受信したＷＥＢサーバ５１は撮影中画面のＷＥＢページ３６０に登録完了の旨のメッセージを表示する。また、ステップＳ３２５において、撮影中画面のＷＥＢページ３６０は患者ＩＤ入力部に入力された患者のＩＤを空欄にし、また、患者情報表示部３６２も空欄にする。
【００４６】
ステップＳ３２５１において、ユーザが撮影を終了する場合、ユーザが撮影中画面のＷＥＢページ３６０中の撮影終了ボタン３６６を押下すると、ステップＳ３２６において、撮影中画面のＷＥＢページ３６０はＷＥＢサーバ５１を経由して、要求処理部５３に画像取得機器ＩＤと撮影終了信号を送信する。要求処理部５３は、汎用情報データベース６０の画像取得機器ＩＤに対応するユーザのＩＤを消去し、ＷＥＢブラウザ３１は撮影前画面のＷＥＢページ３５１に遷移する。ユーザが撮影を終了しない場合、ステップＳ３１０に戻る。
【００４７】
ステップＳ３２６１において、ユーザが撮影支援システムからログアウトする場合、ユーザが撮影前画面のＷＥＢページ３５１中のログアウトボタンを押下すると、ステップＳ３２７において、撮影前画面のＷＥＢページ３５１はログイン情報入力部をクリアし、ログアウトボタンをログインボタンに入れ替える。また、ステップＳ３２７１において、このまま撮影支援システムを終了しない場合には、ステップＳ３０３に戻る。ユーザが撮影支援システムからログアウトしない場合、ステップＳ３０７に戻る。
【００４８】
［第三の実施形態：画像ビューワ］
また、第三の実施形態に係る画像ビューワを利用する際のフローについて、図４、図１０、図１１、図１２、図１５を用いて説明する。なお、図４は、本実施形態に係る画像ビューワを利用する際のフロー図である。また、図１０（ａ）は、本実施形態に係る画像ビューワの単一画像の表示状態における初期画面４３０を説明するための図であり、図１０（ｂ）は、本実施形態に係る画像ビューワの複数画像の表示状態における初期画面４４０を説明するための図である。また、図１１（ａ）は、本実施形態に係る画像ビューワの単一画像の表示状態における検索結果画面４５３を説明するための図であり、図１１（ｂ）は、本実施形態に係る画像ビューワの複数画像の表示状態における検索結果画面４６６を説明するための図である。また、図１２（ａ）は、本実施形態に係る画像ビューワの単一画像の表示状態における画像表示画面５３０を説明するための図であり、図１２（ｂ）は、本実施形態に係る画像ビューワの複数画像の表示状態における画像表示画面５５０を説明するための図である。なお、図１５は、第三の実施形態に係る画像ビューワを利用する際のユーザの動作を省略したフロー図であり、図４からユーザの入力のステップを除いたフロー図である。本実施形態は、図１５の各工程をそれぞれ所定のタイミングで自動的に実行しても良いし、少なくとも一つをユーザの入力タイミングで実行する半自動でも良い。
【００４９】
まず、ステップＳ４０１において、ユーザの指示に応じて、パソコン１０はＷＥＢブラウザ１１を起動する。なお、ＷＥＢブラウザの起動については、電子カルテなどの外部システムに設置されたリンクを元に、予め指定されたブラウザが自動起動しても良い。また、ステップＳ４０２において、パソコン１０のＷＥＢブラウザ１１は、ＷＥＢサーバ２１に、画像ビューワのＷＥＢページ４３０のＵＲＬと生成要求信号を送信する。ＷＥＢサーバ２１は、受信したＵＲＬに従って画像ビューワのＷＥＢページ４３０を作成する。また、ステップＳ４０３において、ＷＥＢサーバ２１は、要求処理部２３に検査項目リスト要求信号を送信する。要求処理部２３は、汎用情報データベース６０から検査項目リストを取得し、ＷＥＢサーバ２１に送信する。
【００５０】
また、ステップＳ４０４において、ＷＥＢサーバ２１はしたステップＳ４０２で作成した画像ビューワのＷＥＢページ４３０の検査項目入力部４３３に受信した検査項目リストをセットし、ユーザが検査項目リスト中のいずれかの検査項目を選択できる状態にする。なお、検査項目とは、例えば、術中写真や病理写真、エコー検査画像、Ｘ線写真などの検査の種類や画像の種類を表すキーワードである。ＷＥＢサーバ２１は作成した画像ビューワのＷＥＢページ４３０をパソコン１０のＷＥＢブラウザ１１に送信し、パソコン１０のＷＥＢブラウザ１１は画像ビューワのＷＥＢページ４３０を表示する。
【００５１】
また、ステップＳ４０５において、ユーザは画像ビューワのＷＥＢページ４３０の患者ＩＤ入力部４３１に患者のＩＤを入力しても良い。また、ステップＳ４０６において、ユーザは画像ビューワのＷＥＢページ４３０の検査期間入力部４３２に検査期間を入力しても良い。また、ステップＳ４０７において、ユーザは画像ビューワのＷＥＢページ４３０の検査項目入力部４３３に検査項目を入力しても良い。
【００５２】
また、ステップＳ４０８において、ユーザが画像ビューワのＷＥＢページ４３０の検索ボタン４３４を押下すると、パソコン１０のＷＥＢブラウザ１１は、ＷＥＢサーバ２１を経由して要求処理部２３に検索条件と検索要求信号とを送信する。なお、上記検索条件とは、ステップＳ４０５で患者のＩＤが入力されている場合は、その患者のＩＤと、ステップＳ４０６で検査期間が入力されている場合は、その入力された検査期間と、ステップＳ４０７で検査項目が入力されている場合は、その検査項目のことである。ステップＳ４０８１において、検索条件が１つもない場合、検索条件入力処置（ステップＳ４０５、もしくは、ステップＳ４０６、ステップ４０７）に戻る。要求処理部２３は、画像データベース２４から、受信した検索条件に合致する画像情報群を取得する。ステップＳ４０８２において、画像情報が１つも取得できなかった場合にはステップＳ４０５かステップＳ４０６かステップＳ４０７に戻る。
【００５３】
また、ステップＳ４０９において、要求処理部２３は、ステップＳ４０８で取得した画像情報群から、検査ＩＤが重複する画像情報の数を数え、その数をその検査ＩＤにおける画像データ数として検査情報に加える。このとき、すでに画像情報に画像データ数が含まれている場合は、上書きする。さらに、検査ＩＤが重複しなくなるまで、検査ＩＤが重複している画像情報を１つずつ取り除く。
【００５４】
また、ステップＳ４１０において、ステップＳ４０９で作成した画像情報群をＷＥＢサーバ２１へ送信する。ＷＥＢサーバ２１は、受信した画像情報群を元に画像ビューワのＷＥＢページ４５３中に検査リスト表示部４５８を作成する。なお、検査リスト表示部４５８は１つ以上の検査リスト項目で構成され、１つの検査リスト項目は、受信した画像情報の１つに対応する。検査リスト項目は、代表サムネイル画像４５９と検査情報４６０が付属する。代表サムネイル画像４５９は、検査リスト項目に対応する画像情報に含まれる画像データのファイルパスからサムネイル画像を作成したものである。検査情報４６０は、検査リスト項目に対応する画像情報に含まれる、患者の名前や検査日時、検査項目、ステップＳ４０９で加えられた画像データ数である。なお、検査情報は、画像ビューワのＷＥＢページ４５３のコード中に保存するだけで、ユーザインタフェース上に表示しなくても良い。ＷＥＢサーバ２１は、作成した画像ビューワのＷＥＢページ４５３をパソコン１０のＷＥＢブラウザ１１に送信し、ＷＥＢブラウザ１１は、画像ビューワのＷＥＢページ４５３を表示する。
【００５５】
また、ステップＳ４１１において、ユーザは検査リスト表示部４５８から、任意の検査リスト項目を選択すると、ＷＥＢブラウザ１１は、ＷＥＢサーバ２１を経由して要求処理部２３に上記検査リスト項目に対応する画像情報に含まれる検査ＩＤと画像リスト生成要求信号を送信する。そして、要求処理部２３は、画像データベースから、受信した検査ＩＤを含む画像情報群を取得し、画像管理サーバ２０のＷＥＢサーバ２１へ送信する。
【００５６】
また、ステップＳ４１２において、ＷＥＢサーバ２１は受信した画像情報群を元に画像ビューワのＷＥＢページ５３０中に画像リスト表示部５３５を作成する。なお、画像リスト表示部５３５は１つ以上の画像リスト項目で構成され、１つの画像リスト項目は、受信した画像情報の１つに対応する。画像リスト項目はサムネイル画像と画像情報が付属する。画像サムネイルは、画像リスト項目に対応する画像情報に含まれる画像データのファイルパスからサムネイル画像を作成したものである。画像情報は、画像リスト項目に対応する画像情報に含まれる情報、たとえば、撮影日時やコメント、画像ＵＲＬである。なお、画像情報に含まれる情報を選択し、画像ビューワのＷＥＢページコード中に保存するだけで、ユーザインタフェース上に表示しない情報があっても良い。ただし、画像情報に削除済みフラグが追加されている場合はその画像リスト項目を追加しない。
【００５７】
また、ステップＳ４１３において、ユーザは画像リスト表示部５３５から、任意の検査リスト項目を選択すると、パソコン１０のＷＥＢブラウザ１１は画像情報に含まれる画像ＵＲＬを参照し、画像ビューワのＷＥＢページの画像表示部５４２に画像データを表示する。なお、画像情報に画像加工情報や画像付加情報が含まれる場合は、その情報に基づいて画像データを加工した状態で画像データを表示する。
【００５８】
また、ステップＳ４１４において、ユーザは特定の操作によって、画像表示部に表示された画像データを拡大縮小しても良い。操作方法として、例えば、画像表示部５４２上でのホイール付きマウスによるホイール操作やキーボードのキー押下による操作を採用しても良い。
【００５９】
ステップＳ４１５において、ユーザは特定の操作によって、画像表示部５４２に表示された画像データの表示エリアを移動させても良い。操作方法として、画像表示部上でのドラッグ操作やキーボードの十字キー操作を採用しても良い。
【００６０】
また、ステップＳ４１６において、ユーザは画像編集ボタン群５４１の中の任意の画像編集ボタンを押下することによって、画像表示部５４２に表示中の画像データに対して編集操作を行って、画像情報に画像加工情報や画像付加情報を追加もしくは上書きしても良い。編集操作を行うと、編集操作の結果が画像表示部に表示される。なお、編集操作とは、画像を回転させたり、上下反転・左右反転させたり、画像中の任意の矩形領域を選択してトリミングしたり、色を調整したり、図形や文字を画像に直接書き込んだりする画像加工情報を作成する操作や、画像データにコメントを付加したり、図形や文字を画像データと重ね合わせて表示するための情報を付加する画像付加情報を作成する操作である。また、画像表示部４６５に表示される画像データは画像加工情報や画像付加情報を反映した、画像編集済みの一時的に作成された画像データである。１つの編集操作が完了すると、画像ビューワのＷＥＢページ５３０は、ＷＥＢサーバ２１へ、画像加工情報もしくは画像付加情報が更新された、新しい画像情報と画像情報更新要求信号を送信する。また、画像ビューワのＷＥＢページ５３０は表示中の画像データに対応する画像リスト項目の画像情報を前記新しい画像情報で上書きする。
【００６１】
また、ステップＳ４１７において、画像管理サーバ２０のＷＥＢサーバ２１は受信した画像情報と画像情報更新要求信号を要求処理部２３へ送信する。要求処理部２３は画像データベース２４中の対応する画像情報を受信した画像情報で上書きする。
【００６２】
また、ステップＳ４１８において、ユーザは単一画像表示ボタン４３５を押下して、画像データを画像表示部４３９に１つ表示させても良い。また、ステップＳ４１９において、ユーザは複数画像表示ボタン４４６を押下して画像データをそれぞれ画像表示部４４９、４５２に２つ表示させても良い。なお、複数画像表示は、医療機関において重要な、治療による裂傷などの経時変化を確認するために、写真記録を並べて比較することに利用することができる。なお、２つ以上の画像データが表示されているときは、画像表示部の枠が強調表示され、画像リスト項目選択（ステップＳ４１３）に続く、画像確認・編集処理（ステップＳ４１４とステップＳ４１５とステップＳ４１６からステップＳ４１７）の操作は、強調表示されている画像表示部に対して操作が行われる。また、複数画像表示ボタンを押下したときの画像表示部の数は２つ以上であれば、いくつでも良い。なお、単一画像表示ボタン４４５は、押下されていない状態を示しており、押下されると表示形態を単一画像表示ボタン４３５のように変更する。また、これに連動して、複数画像表示ボタン４３６は、その表示形態を複数画像表示ボタン４４６のように変更する。
【００６３】
また、ステップＳ４２０において、ユーザが、枠が強調表示されていない画像表示部をクリックすると、枠が強調表示されている画像表示部の枠の強調表示が消え、前記クリックをした画像表示部の枠が強調表示される。そして、ステップＳ４２０１において、ユーザが画像ビューワを終了させる場合には、ステップＳ４２１において、ＷＥＢブラウザを終了させることによって、画像ビューワも終了する。ユーザが画像ビューワを終了させない場合には、ステップＳ４０４の処理直後に戻る。
【００６４】
［第四の実施形態：画像アップローダ］
次に、第四の実施形態に係る画像アップローダモジュールを利用する際のフローについて、図５、図８、図１６を用いて説明する。なお、図５は、本実施形態に係る画像アップローダを利用する際のフロー図である。また、図８（ａ）は、本実施形態に係る画像アップローダのログイン画面を説明するための図であり、図８（ｂ）は、本実施形態に係る画像アップローダの画像登録画面を説明するための図である。なお、図１６は、本実施形態に係る画像アップローダを利用する際のユーザの動作を省略したフロー図であり、図５からユーザの入力のステップを除いたフロー図である。本実施形態は、図１６の各工程をそれぞれ所定のタイミングで自動的に実行しても良いし、少なくとも一つをユーザの入力タイミングで実行する半自動でも良い。
【００６５】
まず、ステップＳ５０１において、ユーザの入力に応じて、画像アップローダが起動される。次に、ステップＳ５０２において、ユーザの入力に応じて、画像アップローダのログイン画面６１０にある、ログイン情報入力部６１１におけるＩＤ入力部６１２にＩＤが入力され、パスワード入力部６１３にパスワードが入力され、ログインボタン６１４が押下される。
【００６６】
また、ステップＳ５０３において、画像アップローダは、要求処理部２３にユーザのＩＤとパスワードとともにログイン要求信号を送信する。このとき、要求処理部２３は、受信したユーザのＩＤを医療データベース７０で検索する。ここで、要求処理部２３は、ユーザのＩＤが医療データベース７０に存在するか否かを判断する。存在しない場合、要求処理部２３は、ログイン失敗信号を画像アップローダに送信する。存在する場合、ステップＳ５０３１において、要求処理部２３は、そのユーザのＩＤに対応する医療データベース７０中のパスワードが、受信したパスワードと一致するか否かを確認する。一致する場合、要求処理部２３は、ログイン成功信号を画像アップローダに送信する。一致しない場合は、要求処理部２３は、ログイン失敗信号を画像アップローダに送信する。また、画像アップローダがログイン失敗信号を受信した場合、ステップＳ５０２に戻る。また、画像アップローダがログイン成功信号を受信した場合、画像アップローダは画像登録画面６２０に遷移して、ステップＳ５０４に進む。
【００６７】
また、ステップＳ５０４において、画像アップローダは、要求処理部２３に検査項目リスト要求信号を送信する。要求処理部２３は汎用情報データベース６０から検査項目リストを取得し、画像アップローダに送信する。画像アップローダは、受信した検査項目リストを検査項目入力部６２３にセットし、ユーザが検査項目リスト中のいずれかの検査項目を選択できる状態にする。なお、検査項目とは、例えば、術中写真や病理写真、エコー検査画像、Ｘ線写真などの検査の種類や画像の種類を表すキーワードである。
【００６８】
また、ステップＳ５０５において、画像アップローダは、画像アップローダを動作させているパソコン１０の現在日時を取得し、検査日時入力部６２４にデフォルト値として、その日時を入力する。また、ステップＳ５０６において、ユーザの指示に応じて、患者のＩＤが患者ＩＤ入力部に入力される。
【００６９】
また、ステップＳ５０７において、画像アップローダは患者ＩＤ入力部に入力された患者のＩＤが患者のＩＤの文字列規則を満たしていることを確認し、要求処理部２３へ、その患者のＩＤと患者情報取得要求信号を送信する。要求処理部２３は、受信した患者のＩＤが医療データベース７０に存在するか検索する。存在しない場合は、患者ＩＤ検索失敗信号を画像アップローダへ送信する。存在する場合、その患者のＩＤに対応する医療データベース７０中の患者情報を画像アップローダへ送信する。患者情報とは、例えば、患者のＩＤや患者の名前、患者の性別、患者の生年月日、患者の年齢などの患者に関する情報である。画像アップローダは受信した患者情報を患者情報表示部に表示する。
【００７０】
また、ステップＳ５０８において、ユーザは、検査項目入力部６２３に検査項目を選択する。また、ステップＳ５０９において、ユーザは、検査日時入力部６２３に検査日時を入力する。ただし、ステップＳ５１４で選択する登録対象画像データ群の中に、日時情報を含む登録対象画像データが１つ以上含まれる場合は、ユーザは、それらの日時情報の中から最も古い日時情報を検査日時として採用することを選択しても良い。その場合には、ユーザは登録対象画像データ群に含まれる日時を使用するためのトグルボタン６２５をオンにする。
【００７１】
また、ステップＳ５１０において、ユーザは画像保存ディレクトリパスを画像保存ディレクトリパス入力部６２７に入力する。入力方法として、例えば、ディレクトリ選択ダイアログによるディレクトリパス取得機能や、画像データ、または、ディレクトリを画像アップローダへドラッグアンドドロップすることによって実行される、オペレーティングシステムの機能である、ディレクトリパス取得機能を利用して、自動的にディレクトリパスを入力しても良い。画像アップローダは画像保存ディレクトリパス入力部６２７に入力された画像保存ディレクトリパスに保存されている画像データ群を画像アップローダの管理するメモリーに入力する。画像アップローダは入力された各々の画像データを解析し、サムネイル画像と画像情報を得る。サムネイル画像とは画像データの縮小画像である。画像情報とは、画像情報を識別するための画像情報ＩＤ、画像データの名前やファイルサイズ、横幅の画素数、高さの画素数、作成日時、撮影日時、更新日時、画像回転情報、画像取得機器ＩＤなどの画像データに関する情報である。また、サムネイル画像は、画像回転情報を反映させた回転済みの画像にする。
【００７２】
また、ステップＳ５１１において、画像アップローダはステップＳ５１０で入力されたそれぞれの画像データのサムネイル画像と画像情報をセットにしたものを、画像リスト表示部の画像リスト項目として追加する。また、各々の項目にはチェックボックス６２９が付属し、ユーザはそのチェックボックス６２９によって、ステップＳ５１４における登録対象画像データ選択を操作する。
【００７３】
また、ステップＳ５１２において、ユーザは画像リスト表示部６２８の任意の画像リスト項目を選択して、画像表示部６３３に選択した画像リスト項目のサムネイル画像、画像情報の元となったステップＳ５１０で入力した画像データを表示させても良い。なお、表示される画像データはステップＳ５１０において得られた画像回転情報を反映させた回転済みの一時的に作成された画像データである。
【００７４】
また、ステップＳ５１３において、ユーザは特定の操作によって、画像表示部６３３に表示された画像データを拡大縮小しても良い。操作方法として、例えば、ホイール付きマウスのホイール操作やキーボードのキー押下による操作を採用しても良い。また、ユーザは特定の操作によって、画像表示部６３３に表示された画像の表示エリアを移動させても良い。操作方法として、画像のドラッグ操作やキーボードの十字キー操作を採用しても良い。また、ユーザは画像編集ボタン群６３２の中の任意の画像編集ボタンを押下することによって、画像表示部６３３に表示中の画像データに対して編集操作を行って、画像情報に画像加工情報や画像付加情報を追加しても良い。編集操作を行うと、編集操作の結果が画像表示部に表示される。なお、編集操作とは、画像を回転させたり、上下反転・左右反転させたり、画像中の任意の矩形領域を選択してトリミングしたり、色を調整したり、図形や文字を画像に直接書き込んだりする画像加工情報を作成する操作や、画像データにコメントを付加したり、図形や文字を画像と重ね合わせて表示するための情報を付加する画像付加情報を作成する操作である。また、画像表示部６３３に表示される画像データと画像リスト表示部に表示されるサムネイル画像は前記画像加工情報や画像付加情報を反映した、画像編集済みの一時的に作成された画像データである。すなわち、ステップＳ５１０で入力した元の画像データが上書きされるなどの影響はない。
【００７５】
また、ステップＳ５１４において、ユーザは画像リスト表示部６２８の任意の画像リスト項目に付属するチェックボックス６２９を操作して、登録対象画像データを選択しても良い。登録対象画像データとは、チェックされたチェックボックスが付属する画像リスト項目に対応する画像情報の元となったステップＳ５１０で入力された画像データのことである。
【００７６】
また、ステップＳ５１５において、ユーザが登録ボタン６２６を押下することによって、画像アップローダは登録対象画像データ（チャックボックスでチェックされた画像でもある。）を画像ストレージ２５にコピーし、登録対象画像データに関する情報を画像データベース２４に登録するための、画像登録処理を開始する。ステップＳ５１５１において、画像アップローダはステップＳ５０７で患者情報が取得できている、かつ、ステップＳ５０８で検査項目が選択されている、かつ、ステップＳ５０９で検査日時が入力されている、かつ、ステップＳ５１４で登録対象画像データが１つ以上選択されているかどうか判定する。なお、ステップＳ５０９で、登録対象画像データに含まれる日時を使用するためのトグルボタン６２５をオンにしている場合には、画像アップローダはステップＳ５１４で選択された登録対象画像データの中から、最も古い日時情報を持つ登録対象画像データを選択し、その日時を検査日時として採用する。この場合、検査日時が入力されていることにする。もし、日時情報を持つ登録対象画像データが１つも無い場合には、画像アップローダは日時情報を持つ登録対象画像データが１つも無い旨のメッセージをユーザに提示して、登録処理を止め、ステップＳ５０５の処理直後に戻る。
【００７７】
また、ステップＳ５１６において、上記登録対象画像データ群の画像情報群と画像情報登録要求信号を要求処理部２３へ送信する。なお、登録対象画像情報にステップＳ５１３で作成した画像加工情報が含まれる場合には、各々の登録対象画像情報に対応する登録対象画像データのコピーを、対応する画像加工情報に基づいて加工し、登録対象画像情報から画像加工情報を取り除いても良い。さらに、登録対象画像情報に画像回転情報が含まれる場合には、各々の登録対象画像情報に対応する登録対象画像データを、対応する画像回転情報に基づいて回転し、登録対象画像情報から画像回転情報を取り除いても良い。また、要求処理部２３は、受信した登録対象画像情報群を画像データベースに登録する。また、要求処理部２３は、ステップＳ５１８で、ＦＴＰサーバ２２が記録させる各々の登録対象画像データの画像管理サーバ２０における画像情報を、前記登録対象画像情報に追加登録する。なお、画像管理サーバ２０における画像情報とは、例えば、登録対象画像データの画像ストレージ２５におけるファイルパスや画像データを表示するためのＵＲＬなどの、画像データに関する情報である。さらに、要求処理部２３は登録した登録対象画像情報群すべてに同一のユニークな検査ＩＤを追加登録する。
【００７８】
また、ステップＳ５１７において、要求処理部２３はステップＳ５１６において画像データベース２４に登録した前記管理画像情報を医療データベース７０にも登録する。登録された管理情報は電子カルテシステムなど、外部のシステムから利用され、例えば、電子カルテシステムのユーザインタフェースに設置されたＵＲＬをクリックすると、ステップＳ５１８において記録された画像データを参照したりすることができる。また、ステップＳ５１８において、画像アップローダは上記登録対象画像データ群のコピーとそれらに対応するサムネイル画像をＦＴＰサーバ２２へ送信する。ＦＴＰサーバ２２は受信した登録対象画像データ群のコピーを画像ストレージへ記録させる。また、ステップＳ５１９において、ユーザが続けて登録処理を行う際に、画像データを間違って別の患者のＩＤに対応付けて登録しないように、画像アップローダは、患者ＩＤ入力部６２１に入力された患者のＩＤを空欄にし、また、患者情報表示部６２２も空欄にする。また、ステップＳ５１９１において、さらに登録する画像データが無い場合など、画像アップローダを終了させる場合には、ステップＳ５２０において、画像アップローダを終了させる。
【００７９】
［第五の実施形態：画像データの自動削除］
次に、第五の実施形態に係る画像データを自動で削除するフローについて、図６を用いて説明する。なお、図６は、本実施形態に係る画像データを自動で削除する機能を説明するためのフロー図である。
【００８０】
ここで、画像データの自動削除は、ファイル監視部５４の１つの機能である。具体的には、画像ストレージ５６に貯まったまま、画像管理サーバ２０に登録されていない画像データを、必要のない画像データとみなして削除する機能である。削除を行うことで、画像ストレージ５６の残り容量を節約するとともに、画像データが情報漏洩した際に備えてリスクを軽減する。
【００８１】
まず、ステップＳ６０１において、ファイル監視部５４における判断部は、削除タイミング、例えば、毎日、所定の時刻であるか否かを判断する。次に、削除タイミングである場合には、ステップＳ６０２において、ファイル監視部５４は、画像データベース５５を参照し、画像情報に含まれる転送日時が上記現在日時と比べて一定期間の差がある画像情報を対象に削除フラグを追加登録する。また、ステップＳ６０３において、ファイル監視部５４はステップＳ６０２で削除フラグが追加された画像情報に対応する画像データとサムネイル画像を、画像ストレージ５６から削除する。なお、削除タイミングは、ユーザにより予め登録されているものであり、初期設定画面等で変更可能に構成されることが好ましい。
【００８２】
なお、上述した動作は、サーバの電源が入っている間行われ続けるが、ステップＳ６０３１において、電源が消されたか否かを判断しても良い。このとき、判断部がサーバの電願が消されたと判断した場合、このフローを終了する。
【００８３】
［第六の実施形態：バーコード認識機能］
次に、第六の実施形態に係るバーコード認識機能について、説明する。上述したステップＳ３０３やステップＳ３１１、ステップＳ４０５、ステップＳ５０６における、ユーザや患者のＩＤを入力する処理を、バーコード認識機能に置き換えて実行することができる。なお、バーコード認識機能は、携帯端末３０に内蔵されたバーコードリーダ機能、または、無線デジタルカメラ４０でバーコードを撮影し、図１３のステップＳ３３０において、撮影した画像データからバーコードを認識、患者のＩＤに複号し、ファイル監視部５４が携帯端末３０に患者のＩＤを送信することで実現できる。特に、近年の医療機関施設では、入院患者各々のＩＤをバーコード化したものを印刷したリストバンドを作成し、入院期間中は、その患者に装着させていることが多い。そのため、バーコード認識機能によって、携帯端末３０への患者のＩＤ入力操作を省略できる環境も多くなっている。このとき、携帯端末３０の機能と、無線デジタルカメラ４０の機能とが一体に構成されることが好ましく、例えば、携帯端末３０が無線デジタルカメラ４０の機能も有することが好ましい。
【００８４】
［第七の実施形態：画像データの種類を示す情報を画像データに付加］
次に、第七の実施形態に係る画像データの種類を示す情報を画像データに付加する処理について、説明する。は、図１３のステップＳ３３０において、ファイル監視部５４における解析部は、受信した画像データを解析する。解析部により患部等の人体ではなく、紙書類やホワイトボードを撮影したものと解析された場合には、画像データが文書であるという情報を画像データに付加しても良い。医療機関施設では、患者に付随する紙書類が多く発生し、多くの場合、イメージスキャナでデジタル化し、保存しているが、上記処理によってイメージスキャナの代わりに無線デジタルカメラ４０を使うことができる。一般的に無線デジタルカメラはイメージスキャナよりも可搬性に優れるため、文書のスキャンを多くの場所で実施できる。さらに、本実施形態によって患者のＩＤに紐づけて、画像データを登録することができるので、ある患者のＩＤで文書を検索し、同意書などの書類がすべて揃っているか、画像ビューワを利用して確認することができる。なお、ステップＳ３３０の解析処理において、撮影した画像データから文書の領域を検出し、トリミングすることで、文書以外の必要のない領域が削除され、よりイメージスキャナの代替として利用価値が上がる。また、ステップＳ３３０の解析処理において、撮影した画像データの文書の種類、例えば、第一の書類、第二の書類などを認識し、それを画像情報に付加することによって、画像ビューワでの画像閲覧時に画像ビューワ画面５３０、画像ビューワ画面５５０における画像情報５３７で、文書の種類を確認することができる。また、ファイル監視部５４における判断部が、予め登録されている複数の種類の書類がそろっているか否かを判断しても良い。このとき、ＷＥＢブラウザ３１は、書類がそろっていない場合、足りない書類を示す表示形態をしても良い。これにより、ユーザは、足りない書類を容易に認識することができる。なお、上記解析部や判断部は、ファイル監視部５４とは別の機能ユニットで構成されても良い。
【００８５】
［その他の実施形態］
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0006377221.tif 000002
【図２】
0006377221.tif 000003
【図３】
0006377221.tif 000004
【図４】
0006377221.tif 000005
【図５】
0006377221.tif 000006
【図６】
0006377221.tif 000007
【図７】
0006377221.tif 000008
【図８】
0006377221.tif 000009
【図９】
0006377221.tif 000010
【図１０】
0006377221.tif 000011
【図１１】
0006377221.tif 000012
【図１２】
0006377221.tif 000013
【図１３】
0006377221.tif 000014
【図１４】
0006377221.tif 000015
【図１５】
0006377221.tif 000016
【図１６】
0006377221.tif 000017